(57)【要約】【課題】一方のコンタクトを他方のコンタクトに低い挿入力で挿入するとともに、一方のコンタクトの他方のコンタクトから引き抜く時に高い引き抜き力を必要とするコネクタ及びこれに用いられるコンタクトを得る。【解決手段】リセプタクルコンタクトは、リセプタクル湾曲部２２３と、固定部２２２と、リセプタクル端子部と、湾曲部２２３ｄ，２２３ｅを有している。プラグ湾曲部１２２をリセプタクル湾曲部２２３に嵌合したとき、屈曲部２２３ａ，２２３ｂが、側部１２３，１２４と接触する。屈曲部２２３ａは、嵌合動作時に、プラグ湾曲部１２２に押圧され、湾曲部２２４が弾性変形することにより、屈曲部２２３ｂと反対方向に変位する。屈曲部２２３ａは、嵌合解除動作時に、プラグ湾曲部１２２の移動に伴って、湾曲部２２３ｅが弾性変形することにより嵌合方向と反対の方向に変位する。【選択図】図７
2012099276.tif 000002
【特許請求の範囲】
【請求項１】
ハウジングに固定されるとともに相手側コンタクトと電気的に接続される帯状導電部材であるコンタクトであり、
前記コンタクトは、その長手方向の位置が互いに異なる複数個所で屈曲することで形成されており、
相手側コネクタに向かって開口するように湾曲した第１湾曲部と、
ハウジングに固定される固定部と、
第１湾曲部と前記固定部との間に設けられた第２湾曲部とを備えており、
相手側コンタクトが前記第１湾曲部に嵌合することによって、相手側コンタクトとの電気的接続が達成され、
前記第１湾曲部には、その両端部に、相手側コンタクトの嵌合方向と直交し且つ互いに対向する方向を向いた第１接触部及び第２接触部が設けられており、
前記第１接触部及び前記第２接触部は、相手側コンタクトの前記第１湾曲部への嵌合動作時に相手側コンタクトと接触し、
前記第１接触部は、前記第１湾曲部の頂部と前記第２湾曲部との間に設けられており、
前記第２湾曲部は、相手側コンタクトの前記第１湾曲部への嵌合方向と反対方向に突出するように湾曲しており、
相手側コンタクトの前記第１湾曲部への嵌合動作時に前記第１接触部が相手側コンタクトに押圧されて前記第２接触部と反対方向に変位するように且つ相手側コンタクトの前記第１湾曲部からの嵌合解除動作時に前記第１接触部が相手側コンタクトの移動に伴って前記嵌合方向と反対方向へ変位するように、前記第２湾曲部は弾性変形可能であり、
前記第２接触部と前記第１湾曲部の頂点との間に設けられた前記第３湾曲部は、相手側コンタクトの前記第１湾曲部への嵌合動作時に、前記第２接触部が相手側コンタクトに押圧されて前記第１接触部と反対方向に変位するように弾性変形可能であることを特徴とするコンタクト。
【請求項２】
前記第１接触部は、前記第２接触部に向けて突出するように湾曲しており、
前記第２湾曲部は、前記第１接触部の頂部から前記固定部にかけて、相手側コンタクトの前記第１湾曲部への嵌合方向と反対方向に突出するように湾曲していることを特徴とする請求項１に記載のコンタクト。
【請求項３】
前記コンタクトの長手方向に沿って前記固定部に対して前記第２湾曲部と反対側に設けられ、回路基板にハンダ接合される端子部をさらに有しており、
前記第１湾曲部は、前記第１接触部と前記第１湾曲部の頂部との間に設けられた第４湾曲部をさらに有しており、
前記第４湾曲部は、前記端子部に向けて突出するように湾曲していることを特徴とする請求項１又は２に記載のコンタクト。
【請求項４】
前記第１接触部には、相手側コネクタとの係合を図るための係合段部が形成されていることを特徴とする請求項１〜３のいずれか１項に記載のコンタクト。
【請求項５】
第１ハウジングと、前記第１ハウジングに固定された導電部材である第１コンタクトとを有する第１コネクタと、
第２ハウジングと、前記第２ハウジングに固定された導電部材である第２コンタクトとを有する第２コネクタとを備えたコネクタであり、
前記第１コンタクトは、
その長手方向の位置が互いに異なる複数個所で屈曲することで形成されており、
前記第２コネクタに向かって開口するように湾曲した第１湾曲部と、
前記第１ハウジングに固定される固定部と、
前記第１湾曲部と前記固定部との間に設けられた第２湾曲部とを備えており、
前記第２コンタクトは、
前記第１コネクタに向かって突出するように湾曲した第１突出部を有し、
前記第１突出部はその内側から前記第２ハウジングによって支持されており、
前記第２コンタクトの前記第１突出部が前記第１コンタクトの前記第１湾曲部に嵌合することによって、前記第１コンタクトと前記第２コンタクトとの電気的接続が達成され、
前記第１湾曲部には、その両端部に、それぞれ、前記第１突出部の嵌合方向と直交し且つ互いに対向する方向を向いた第１接触部及び第２接触部が設けられており、
前記第１接触部は、前記第１湾曲部の頂部と前記第２湾曲部との間に設けられており、
前記第１接触部及び第２接触部は、それぞれ、互いに反対方向を向くように前記第２コンタクトの前記第１突出部に設けられた第３接触部及び第４接触部と、前記第１突出部の前記第１湾曲部への嵌合動作時に接触し、
前記第１接触部と、前記第１突出部の前記第１湾曲部への嵌合動作時に前記第１接触部と接触する第３接触部との少なくとも一方に、前記第１接触部と前記第３接触部との係合を図るための係合段部が形成されており、
前記第２湾曲部は、前記第１突出部の前記第１湾曲部への嵌合方向と反対方向に突出するように湾曲しており、
前記第１突出部の前記第１湾曲部への嵌合動作時に前記第１接触部が前記第１突出部に押圧されて前記第２接触部と反対方向に変位するように且つ前記第１突出部の前記第１湾曲部からの嵌合解除動作時に前記第１接触部が前記第１突出部の移動に伴って前記嵌合方向と反対方向へ変位するように、前記第２湾曲部は弾性変形可能であり、
前記第２接触部と前記第１湾曲部の頂点との間に設けられた前記第３湾曲部は、前記第１突出部の前記第１湾曲部への嵌合動作時に、前記第２接触部が前記第１突出部に押圧されて前記第１接触部と反対方向に変位するように弾性変形可能であることを特徴とするコネクタ。
【請求項６】
前記第１接触部は、前記第２接触部に向けて突出するように湾曲しており、
前記第２湾曲部は、前記第１接触部の頂部から前記固定部にかけて、前記嵌合方向と反対方向に突出するように湾曲していることを特徴とする請求項５に記載のコネクタ。
【請求項７】
前記コンタクトの長手方向に沿って前記固定部に対して前記第２湾曲部と反対側に設けられ、回路基板にハンダ接合される端子部をさらに有しており、
前記第１湾曲部は、前記第１接触部と前記第１湾曲部の頂部との間に設けられた第４湾曲部をさらに有しており、
前記第４湾曲部と前記固定部とは、前記第１ハウジングの前記固定部が固定された部分を挟んで互いに対向するように設けられており、
前記第４湾曲部は、前記端子部に向けて突出するように湾曲していることを特徴とする請求項５又は６に記載のコネクタ。
【発明の詳細な説明】
【技術分野】
【０００１】
本発明は、相手側コンタクトと電気的に接続されるコンタクト及びそれを備えたコネクタに関する。
【背景技術】
【０００２】
２枚の基板を電気的に接続するコネクタ（基板対基板接続コネクタ）として、一方の基板に接続されるソケットと、他方の基板に接続されるプラグとを有するコネクタが知られている（例えば、特許文献１）。ソケットは、絶縁製のソケット本体と、ソケット本体に装着される導電性の接続子（コンタクト）とを有している。また、プラグは、絶縁製のプラグ本体と、プラグ本体に装着される導電性の接続子（コンタクト）とを有している。
【０００３】
特許文献１に開示されたプラグの接続子には、略Ｕ字形状のプラグ湾曲部（圧入部）が形成されている。また、ソケットの接続子には、プラグに向けて開口するように湾曲したソケット湾曲部が形成されている。そして、プラグ湾曲部をソケット湾曲部に嵌合することにより、プラグ湾曲部とソケット湾曲部とが接触し、これらの間で電気的な接続が達成される。プラグ湾曲部のソケット湾曲部への嵌合動作時に、プラグ湾曲部とソケット湾曲部とは２箇所で接触する。
【先行技術文献】
【特許文献】
【０００４】
【特許文献１】特開２００９−２７７３６５号公報
【発明の概要】
【発明が解決しようとする課題】
【０００５】
特許文献１に記載されたコネクタにおいて、プラグ湾曲部のソケット湾曲部への嵌合動作時及び嵌合解除動作時に、上記２箇所の接触部のうち一方の箇所では、ソケット湾曲部のプラグ湾曲部との接触部が嵌合方向と直交する方向に変位するが、上記２箇所の接触部のうち他方の箇所では、ソケット湾曲部のプラグ湾曲部との接触部が嵌合方向と直交する方向に殆ど変位しない。
【０００６】
したがって、プラグ湾曲部のソケット湾曲部からの嵌合解除動作時に、上記他方の箇所ではソケット湾曲部のプラグ湾曲部との接触部が殆ど変位しないため、高い引き抜き力が必要となる。よって、プラグがソケットから外れにくい。
【０００７】
しかしながら、プラグ湾曲部のソケット湾曲部への嵌合動作時に、上記他方の箇所では、ソケット湾曲部のプラグ湾曲部との接触部が嵌合方向と直交する方向に殆ど変位しないため、プラグ湾曲部をソケット湾曲部に挿入するために高い挿入力が必要となる。また、上記他方の箇所では、プラグ湾曲部とソケット湾曲部との接触部が削れるようにプラグ湾曲部がソケット湾曲部に挿入されるため、接触性能が低下するおそれがある。
【０００８】
そこで、本発明は、一方のコンタクトを他方のコンタクトに低い挿入力で挿入することができるとともに、一方のコンタクトを他方のコンタクトから引き抜くときに高い引き抜き力を必要とするコネクタ及びこれに用いられるコンタクトを提供することを目的とする。
【課題を解決するための手段】
【０００９】
本発明のコンタクトは、ハウジングに固定されるとともに相手側コンタクトと電気的に接続される帯状導電部材であるコンタクトであり、前記コンタクトは、その長手方向の位置が互いに異なる複数個所で屈曲することで形成されており、相手側コネクタに向かって開口するように湾曲した第１湾曲部と、ハウジングに固定される固定部と、第１湾曲部と前記固定部との間に設けられた第２湾曲部とを備えており、相手側コンタクトが前記第１湾曲部に嵌合することによって、相手側コンタクトとの電気的接続が達成され、前記第１湾曲部には、その両端部に、相手側コンタクトの嵌合方向と直交し且つ互いに対向する方向を向いた第１接触部及び第２接触部が設けられており、前記第１接触部及び前記第２接触部は、相手側コンタクトの前記第１湾曲部への嵌合動作時に相手側コンタクトと接触し、前記第１接触部は、前記第１湾曲部の頂部と前記第２湾曲部との間に設けられており、前記第２湾曲部は、相手側コンタクトの前記第１湾曲部への嵌合方向と反対方向に突出するように湾曲しており、相手側コンタクトの前記第１湾曲部への嵌合動作時に前記第１接触部が相手側コンタクトに押圧されて前記第２接触部と反対方向に変位するように且つ相手側コンタクトの前記第１湾曲部からの嵌合解除動作時に前記第１接触部が相手側コンタクトの移動に伴って前記嵌合方向と反対方向へ変位するように、前記第２湾曲部は弾性変形可能であり、前記第２接触部と前記第１湾曲部の頂点との間に設けられた前記第３湾曲部は、相手側コンタクトの前記第１湾曲部への嵌合動作時に、前記第２接触部が相手側コンタクトに押圧されて前記第１接触部と反対方向に変位するように弾性変形可能である。
【００１０】
本発明によると、相手側コンタクトとの嵌合動作時に、第２湾曲部及び第３湾曲部が弾性変形することにより、相手側コンタクトに押圧された第１接触部及び第２接触部が互いに反対方向に変位するため、相手側コネクタを第１湾曲部に低挿入力で挿入することができる。また、相手側コンタクトとの嵌合解除動作時に、相手側コンタクトの移動に伴って第２湾曲部が弾性変形することにより第１接触部が嵌合方向と反対方向に変位する。これにより、第１接触部は、嵌合方向に向けて相手側コンタクトを押圧する。また、これと同時に、第１接触部は第２接触部と反対の方向に変位しているため、第１接触部は第２接触部と対向する方向にも相手側コンタクトを押圧している。これらの力の合力が相手側コンタクトに作用するため、相手側コネクタを第１湾曲部から引き抜くときに高い引き抜き力を必要とすることができる。したがって、低挿入力及び高引抜力を両立することができる。
【００１１】
また、本発明において、前記第１接触部は、前記第２接触部に向けて突出するように湾曲しており、前記第２湾曲部は、前記第１接触部の頂部から前記固定部にかけて、相手側コンタクトの前記第１湾曲部への嵌合方向と反対方向に突出するように湾曲している。これによると、相手側コンタクトの第１湾曲部への嵌合動作時に第１接触部が第２接触部と反対方向に変位するように、且つ、相手側コンタクトの第１湾曲部からの嵌合解除動作時に第１接触部が嵌合方向と反対方向へ変位するように、第２湾曲部が確実に弾性変形する。よって、低挿入力及び高引抜力の両立を確実に実現することができる。
【００１２】
さらに、本発明において、前記コンタクトの長手方向に沿って前記固定部に対して前記第２湾曲部と反対側に設けられ、回路基板にハンダ接合される端子部をさらに有しており、前記第１湾曲部は、前記第１接触部と前記第１湾曲部の頂部との間に設けられた第４湾曲部をさらに有しており、前記第４湾曲部は、前記端子部に向けて突出するように湾曲している。これにより、コンタクトの第４湾曲部が、固定部が固定されたハウジングの固定部分に作用する力を軽減することができる。よって、ハウジングの破損を抑止することができる。
【００１３】
加えて、本発明において、第１接触部には、相手側コネクタとの係合を図るための係合段部が形成されている。これにより、相手側コンタクトの第１湾曲部からの嵌合解除動作時に、第１接触部と相手側コネクタとが係合するため、第１接触部に嵌合方向に向かって作用する力が確実に生じる。これにより、相手側コネクタを第１湾曲部から引き抜くときにより一層高い引き抜き力を必要とすることができる。
【００１４】
本発明のコネクタは、第１ハウジングと、前記第１ハウジングに固定された導電部材である第１コンタクトとを有する第１コネクタと、第２ハウジングと、前記第２ハウジングに固定された導電部材である第２コンタクトとを有する第２コネクタとを備えたコネクタであり、前記第１コンタクトは、その長手方向の位置が互いに異なる複数個所で屈曲することで形成されており、前記第２コネクタに向かって開口するように湾曲した第１湾曲部と、前記第１ハウジングに固定される固定部と、前記第１湾曲部と前記固定部との間に設けられた第２湾曲部とを備えており、前記第２コンタクトは、前記第１コネクタに向かって突出するように湾曲した第１突出部を有し、前記第１突出部はその内側から前記第２ハウジングによって支持されており、前記第２コンタクトの前記第１突出部が前記第１コンタクトの前記第１湾曲部に嵌合することによって、前記第１コンタクトと前記第２コンタクトとの電気的接続が達成され、前記第１湾曲部には、その両端部に、それぞれ、前記第１突出部の嵌合方向と直交し且つ互いに対向する方向を向いた第１接触部及び第２接触部が設けられており、前記第１接触部は、前記第１湾曲部の頂部と前記第２湾曲部との間に設けられており、前記第１接触部及び第２接触部は、それぞれ、互いに反対方向を向くように前記第２コンタクトの前記第１突出部に設けられた第３接触部及び第４接触部と、前記第１突出部の前記第１湾曲部への嵌合動作時に接触し、前記第１接触部と、前記第１突出部の前記第１湾曲部への嵌合動作時に前記第１接触部と接触する第３接触部との少なくとも一方に、前記第１接触部と前記第３接触部との係合を図るための係合段部が形成されており、前記第２湾曲部は、前記第１突出部の前記第１湾曲部への嵌合方向と反対方向に突出するように湾曲しており、前記第１突出部の前記第１湾曲部への嵌合動作時に前記第１接触部が前記第１突出部に押圧されて前記第２接触部と反対方向に変位するように且つ前記第１突出部の前記第１湾曲部からの嵌合解除動作時に前記第１接触部が前記第１突出部の移動に伴って前記嵌合方向と反対方向へ変位するように、前記第２湾曲部は弾性変形可能であり、前記第２接触部と前記第１湾曲部の頂点との間に設けられた前記第３湾曲部は、前記第１突出部の前記第１湾曲部への嵌合動作時に、前記第２接触部が前記第１突出部に押圧されて前記第１接触部と反対方向に変位するように弾性変形可能である。
【００１５】
これによると、第１突出部の第１湾曲部への嵌合動作時に、第２湾曲部及び第３湾曲部が弾性変形することにより、第１突出部に押圧された第１接触部及び第２接触部が互いに反対方向に変位するため、第１突出部を第１湾曲部に低挿入力で挿入することができる。また、第１突出部の第１湾曲部からの嵌合解除動作時に、第１突出部の移動に伴って第２湾曲部が弾性変形することにより第１接触部が嵌合方向と反対方向に変位しようとするため、第１接触部が嵌合方向に向けて第１突出部を押圧する。また、これと同時に、第１接触部は第２接触部と反対の方向に変位しているため、第１接触部は第２接触部と対向する方向にも第１突出部を押圧している。これらの力の合力が第２コンタクトに作用するため、第２コンタクトの第１突出部を第１コンタクトの第１湾曲部から引き抜くときに高い引き抜き力を必要とすることができる。したがって、低挿入力及び高引抜力を両立することができる。
【００１６】
また、本発明のコネクタにおいて、前記第１接触部は、前記第２接触部に向けて突出するように湾曲しており、前記第２湾曲部は、前記第１接触部の頂部から前記固定部にかけて、前記嵌合方向と反対方向に突出するように湾曲している。これにより、第１突出部の第１湾曲部への嵌合動作時に第１接触部が第２接触部と反対方向に変位するように、且つ、第１突出部の第１湾曲部からの嵌合解除動作時に第１接触部が嵌合方向と反対方向へ変位するように、第２湾曲部が確実に弾性変形する。よって、低挿入力及び高引抜力の両立を確実に実現することができる。
【００１７】
さらに、本発明のコネクタにおいて、前記コンタクトの長手方向に沿って前記固定部に対して前記第２湾曲部と反対側に設けられ、回路基板にハンダ接合される端子部をさらに有しており、前記第１湾曲部は、前記第１接触部と前記第１湾曲部の頂部との間に設けられた第４湾曲部をさらに有しており、前記第４湾曲部と前記固定部とは、前記第１ハウジングの前記固定部が固定された部分を挟んで互いに対向するように設けられており、前記第４湾曲部は、前記端子部に向けて突出するように湾曲している。これにより、第１コンタクトの第４湾曲部が、固定部が固定された第１ハウジングの固定部分に作用する力を軽減することができる。よって、第１ハウジングに作用する力を軽減することができるため、第１ハウジングの破損を抑止することができる。
【発明の効果】
【００１８】
本発明のコンタクト及びコネクタによると、相手側コンタクトとの嵌合動作時に、第２湾曲部及び第３湾曲部が弾性変形することにより、相手側コンタクトに押圧された第１接触部及び第２接触部とが互いに反対方向に変位するため、相手側コネクタを第１湾曲部に低挿入力で挿入することができる。また、相手側コンタクトとの嵌合解除動作時に、相手側コンタクトの移動に伴って第２湾曲部が弾性変形することにより第１接触部が嵌合方向と反対方向に変位しようとするため、第１接触部が嵌合方向に向けて相手側コンタクトを押圧する。また、これと同時に、第１接触部は第２接触部と反対の方向に変位しているため、第１接触部は第２接触部と対向する方向にも相手側コンタクトを押圧している。これらの力の合力が相手側コンタクトに作用するため、相手側コネクタを第１湾曲部から引き抜くときに高い引き抜き力を必要とすることができる。したがって、低挿入力及び高引抜力を両立することができる。
【図面の簡単な説明】
【００１９】
【図１】本発明の第１実施形態に係るコネクタの外観斜視図であり、（ａ）は、プラグコネクタをリセプタクルコネクタへ嵌合した時を示しており、（ｂ）は、プラグコネクタをリセプタクルコネクタへ嵌合する前の状態を示している。
【図２】図１に示したコネクタのプラグコネクタを示しており、（ａ）は図１のプラグコネクタを下方からみた外観斜視図であり、（ｂ）は図１のプラグコネクタを上方からみた外観斜視図であり、（ｃ）は図２（ｂ）のＩＩＣ‐ＩＩＣ線に沿った断面図である。
【図３】図２に示したプラグコンタクトを示しており、（ａ）は外観斜視図であり、（ｂ）は側面図である。
【図４】（ａ）は図１に示したコネクタのリセプタクルコネクタの外観斜視図であり、（ｂ）は、図４（ａ）のＩＶＢ‐ＩＶＢ線に沿った断面図である。
【図５】リセプタクルコンタクトを示しており、（ａ）は外観斜視図であり、（ｂ）は側面図であり、（ｃ）は背面図である。
【図６】プラグコネクタのリセプタクルコネクタへの嵌合動作を順に示す図である。
【図７】プラグコネクタのリセプタクルコネクタへの嵌合動作の一部を示す図である。
【図８】プラグコネクタのリセプタクルコネクタへの嵌合動作の一部を示す図である。
【図９】プラグコネクタのリセプタクルコネクタからの嵌合解除動作を順に示す図である。
【図１０】プラグコネクタのリセプタクルコネクタからの嵌合解除動作の一部を示す図である。
【発明を実施するための形態】
【００２０】
以下、本発明の好適な実施形態について、図面を参照しつつ説明する。
【００２１】
図１（ａ），（ｂ）に示すように、コネクタ１００は、プラグコネクタ１０と、プラグコネクタ１０が嵌合するリセプタクルコネクタ２０とを備えている。コネクタ１００は、図示しない２枚の回路基板を電気的に接続するコネクタ（基板対基板接続コネクタ）である。プラグコネクタ１０及びリセプタクルコネクタ２０は、それぞれ、図示しない異なる回路基板に実装される。
【００２２】
（プラグコネクタ）
図２（ａ），（ｂ）に示すように、プラグコネクタ（第２コネクタ）１０は、プラグハウジング（第２ハウジング）１１と、プラグハウジング１１に固定された複数のプラグコンタクト（第２コンタクト）１２とを有している。複数のプラグコンタクト１２は、前後方向に、所定のピッチで配列されている。
【００２３】
<プラグハウジング>
絶縁性の樹脂から構成されたプラグハウジング１１は、その周縁に沿って形成された略矩形状の環状壁１５と、底壁１６とを有している。環状壁１５は、底壁１６の右端から立設した右側壁１５ａと、底壁１６の左端から立設した左側壁１５ｂと、底壁１６の前端から立設した前壁１５ｃと、底壁１６の後端から立設した後壁１５ｄとを有している。そして、環状壁１５及び底壁１６により、環状壁１５の内方に凹部１７が形成されている。右側壁１５ａ及び左側壁１５ｂには、それぞれ、その側面に沿って、略Ｕ字状の複数の溝１８が形成されている。複数の溝１８は、右側壁１５ａ及び左側壁１５ｂのそれぞれの長手方向に沿って（図２（ａ）に示す前後方向に）、所定の間隔で配列されている。
【００２４】
次に、図２（ｃ）及び図３を参照しつつ、プラグコンタクト１２について説明する。
【００２５】
<プラグコンタクト>
プラグコンタクト１２は、所定の厚みを有する金属の帯状導電部材であって、その長手方向に互いに異なる箇所で屈曲することにより形成されている。プラグコンタクト１２は、回路基板にハンダ接合されるプラグ端子部１２１と、プラグ端子部１２１の一端から下方に向けて突出するように湾曲した略Ｕ字状のプラグ湾曲部（第１突出部）１２２とを有している。プラグ湾曲部１２２は、図６，８に示すように、リセプタクルコネクタ２０（リセプタクル湾曲部２２３）に向かって突出するように湾曲している。また、図２（ｃ）に示すように、プラグ湾曲部１２２は、プラグハウジング１１に装着されたとき、右側壁１５ａ又は左側壁１５ｂにより内側から支持されている。
【００２６】
プラグ湾曲部１２２は、左右方向に互いに対向する側部１２３，１２４を有している。図３に示すように、側部１２３は、プラグ端子部１２１とプラグ湾曲部１２２の頂部１２２ｃとの間に設けられている。
【００２７】
側部１２３の外側面には、側部１２３の長手方向に沿って凹部１２３ｓが形成されている。凹部１２３ｓは、プラグコンタクト１２に、その厚み方向に圧潰加工を施すことにより形成されている。図３に示すように、凹部１２３ｓは、底面１２３ｔ（第３接触部）と、上側面１２３ｐと、下側面１２３ｑとを有している。そして、図３（ｂ）に示すように、底面１２３ｔ及び下側面１２３ｑにより、段部Ｑ（係合段部）が形成されている。
【００２８】
側部１２４の外側面（第４接触部）１２４ｔは、凹凸のない平坦面となっている。側部１２３の底面１２３ｔと側部１２４の外側面１２４ｔとは、左右方向に互いに反対方向を向いている。なお、左右方向とは、プラグコンタクト１２がリセプタクルコンタクト２２と嵌合する方向と直交する方向である（図６，８参照）。
【００２９】
なお、上述したように、プラグコンタクト１２には、凹部１２３ｓを形成するために、圧潰加工が施されている。圧潰加工は、帯状導電部材を屈曲する前に、一直線状となった帯状導電部材に施される。凹部１２３ｓが形成された一直線状の帯状導電部材をその長手方向に互いに異なる複数個所で屈曲することにより、プラグコンタクト１２が得られる。
【００３０】
プラグコンタクト１２をプラグハウジング１１に装着するときは、図２に示すように、プラグコンタクト１２（プラグ湾曲部１２２）をプラグハウジング１１の溝１８に嵌め、圧入する。これにより、プラグコンタクト１２がプラグハウジング１１に固定される。
【００３１】
（リセプタクルコネクタ）
図４（ａ）に示すように、リセプタクルコネクタ（第１コネクタ）２０は、リセプタクルハウジング（第１ハウジング）２１と、リセプタクルハウジング２１に固定された複数のリセプタクルコンタクト（第２コンタクト）２２とを有している。複数のリセプタクルコンタクト２２は、前後方向に、プラグコンタクト１２と略同じ所定のピッチで配列されている。
【００３２】
<リセプタクルハウジング> 
図４（ａ），（ｂ）に示すように、絶縁性の樹脂から構成されたリセプタクルハウジング２１は、その周縁に沿って連続的に形成された略矩形状の環状の環状壁２５と、底壁２６と、環状壁２５の内側に形成された中間壁２７とを有している。環状壁２５は、底壁２６の右端から立設した右側壁２５ａと、底壁２６の左端から立設した左側壁２５ｂと、底壁２６の前端から立設した前側壁２５ｃと、底壁２６の後端から立設した後側壁２５ｄとを有している。中間壁２７は、前後方向に延在した略矩形状の部材である。また、中間壁２７は、その前端及び後端が、それぞれ、前側壁２５ｃ及び後側壁２５ｄに固定されることによって、環状壁２５と一体になっている。また、中間壁２７と右側壁２５ａとの間、及び中間壁２７と左側壁２５ｂとの間には、プラグコンタクト１２（プラグ湾曲部１２２）を挿入可能な隙間が形成されている。
【００３３】
右側壁２５ａ及び左側壁２５ｂには、それぞれ、それらの内側面に沿って、複数の溝２８が形成されている。複数の溝２８は、前後方向に所定のピッチで配列されている。また、中間壁２７には、それらの右側面及び左側面に沿って、複数の溝２９が形成されている。複数の溝２９は、前後方向に所定のピッチで配列されている。溝２８のピッチ及び溝２９のピッチは、溝１８（図２（ａ））のピッチと略同じピッチとなっている。
【００３４】
また、右側壁２５ａの外側面及び左側壁２５ｂの外側面において、溝２８が形成されていない部分には、それぞれ、保持壁５０ａ，５０ｂが設けられている。保持壁５０ａ，５０ｂは、リセプタクルハウジング２１の高さ方向（嵌合方向）に沿って設けられている。図４（ａ）に示すように、保持壁５０ａ，５０ｂの幅は、前後方向に隣り合う２つの溝２８の間隔より大きい。リセプタクルコンタクト２２をリセプタクルハウジング２１に装着するときは、リセプタクルコンタクト２２の固定部２２２（図４（ｂ）参照）を保持壁５０ａ，５０ｂに沿って溝２８に挿入する。
【００３５】
次に、図４（ｂ）及び図５を参照しつつ、リセプタクルコンタクト２２について説明する。
【００３６】
<リセプタクルコンタクト>
リセプタクルコンタクト２２は、所定の厚みを有する金属の板状導電部材であって、その長手方向に互いに異なる複数の個所で屈曲することにより形成されている。リセプタクルコンタクト２２は、回路基板Ｐ２（図４（ｃ）に二点鎖線で示した回路基板Ｐ２）にハンダ接合されるリセプタクル端子部２２１と、リセプタクルハウジング２１に固定される固定部２２２と、上方に向けて開口するように湾曲したリセプタクル湾曲部（第１湾曲部）２２３とを有している。リセプタクル端子部２２１、固定部２２２及びリセプタクル湾曲部２２３は、これらの順に、リセプタクルコンタクト２２にその長手方向に沿って設けられている。また、固定部２２２とリセプタクル湾曲部２２３との間には、上方に向けて突出するように湾曲した湾曲部（第２湾曲部）２２４が設けられている。
【００３７】
[固定部２２２]
固定部２２２をリセプタクルハウジング２１の溝２８に圧入することにより、固定部２２２がリセプタクルハウジング２１に固定される。また、図５（ａ），（ｃ）に示すように、固定部２２２には、その両側面から幅方向に突出した突起２２２ａ〜２２２ｄが形成されている。リセプタクルコンタクト２２をリセプタクルハウジング２１に装着したとき、固定部２２２の突起２２２ａ〜２２２ｄがリセプタクルハウジング２１の保持壁５０ａ，５０ｂに接することにより、リセプタクルコンタクト２２がその厚み方向（図４（ａ）及び図５に示す左右方向）に移動することを規制することができる。
【００３８】
[リセプタクル湾曲部２２３]
図４及び図５（ａ），（ｂ）に示すように、リセプタクル湾曲部２２３は、湾曲部２２４の一端から斜め下方に延在し、その後、緩やかに水平方向へ屈曲した後、上方へ立ち上がった形状を有している。図５（ａ），（ｂ）に示すように、リセプタクル湾曲部２２３は、その両端部にそれぞれ設けられた屈曲部２２３ａ，２２３ｂと、底部（頂部）２２３ｃと、底部２２３ｃと屈曲部（第１接触部）２２３ａとの間に設けられた湾曲部（第４湾曲部）２２３ｄと、底部２２３ｃと屈曲部（第２接触部）２２３ｂとの間に設けられた湾曲部（第３湾曲部）２２３ｅとを有している。湾曲部２２３ｄと湾曲部２２３ｅとは、左右方向に互いに対向する方向を向いて配置されている。
【００３９】
屈曲部２２３ａ，２２３ｂは、左右方向に互いに対向する方向を向いて配置されている。屈曲部２２３ａは、湾曲部２２４と、リセプタクル湾曲部２２３の底部２２３ｃとの間に設けられている。また、屈曲部２２３ａは、屈曲部２２３ｂに向けて突出するように屈曲している。屈曲部２２３ａは、湾曲部２２４によって、左右方向及び上下方向に変位可能となっている。
【００４０】
屈曲部２２３ｂは、屈曲部２２３ａに向けて突出するように屈曲している。屈曲部２２３ｂの内側面には、その長手方向に沿って、幅方向についての両端部に、一対の凹み２２３ｓが形成されている。また、屈曲部２２３ｂは、湾曲部２２３ｅによって、左右方向に変位可能となっている。
【００４１】
なお、左右方向とは、プラグコンタクト１２がリセプタクルコンタクト２２に嵌合する方向と直交する方向であり、上下方向とは、プラグコンタクト１２がリセプタクルコンタクト２２に嵌合する方向（下方向）及びそれと反対の方向（上方向）である（図６，８参照）。
【００４２】
図４（ｂ）に示すように、リセプタクルコンタクト２２をリセプタクルハウジング２１に装着したとき、リセプタクルコンタクト２２の底部２２３ｃの下方には、リセプタクルハウジング２１の底壁２６が配置されていることから、リセプタクルコネクタ２０を回路基板Ｐ２に実装したとき、底部２２３ｃと回路基板Ｐ２との間に底壁２６が介在する。これにより、頂部４１と回路基板Ｐ２との間が絶縁状態となるため、回路基板Ｐ２の配線パターンの自由度を高めることができる。また、底部２２３ｃの下方に底壁２６が存在するため、プラグコンタクト１２（プラグ湾曲部１２２）をリセプタクル湾曲部２２３に嵌合するときに（図６参照）、底部２２３ｃの変形を抑止することができる。
【００４３】
湾曲部２２３ｄは、屈曲部２２３ａと底部２２３ｃとの間に設けられた領域であり、図４（ｂ）に示すように、湾曲部２２３ｄと固定部２２２とは、リセプタクルハウジング２１の右側壁２５ａ又は左側壁２５ｂを挟んで互いに対向するように設けられている。湾曲部２２３ｄは、リセプタクル端子部２２１に向けて突出するように緩やかに湾曲している。したがって、リセプタクルコンタクト２２をリセプタクルハウジング２１に装着したとき、リセプタクルコンタクト２２の屈曲部２２３ａと底部２２３ｃとの間の領域は、底部２２３ｃに近付くにつれて、リセプタクルコンタクト２２の固定部２２２が固定された右側壁２５ａ又は左側壁２５ｂに近付くように形成されている。このように、リセプタクルコンタクト２２の湾曲部２２３ｄは、回路基板Ｐ２にハンダ接合されたリセプタクル端子部２２１に近い位置に設けられている。したがって、リセプタクルコンタクト２２に外力が作用し、湾曲部２２３ｄが右側壁２５ａの壁面又は左側壁２５ｂの壁面に仮に接触したとしても、湾曲部２２３ｄは右側壁２５ａ又は左側壁２５ｂの動きにくい部分で側壁２５ａ及び左側壁２５ｂに接触する。したがって、湾曲部２２３ｄから右側壁２５ａ及び左側壁２５ｂに作用する力を軽減でき、リセプタクルハウジング２１の右側壁２５ａ及び左側壁２５ｂの破損を抑止することができる。
【００４４】
図５（ｂ）に示すように、湾曲部２２３ｅは、湾曲部２２３ｄに向けて開口するように緩やかに湾曲している。そのため、湾曲部２２３ｅは、底部２２３ｃを中心に回転するように弾性変形可能である。湾曲部２２３ｅが弾性変形することにより、屈曲部２２３ｂが左右方向に変位する。
【００４５】
[湾曲部２２４]
図４（ｂ）及び図５（ｂ）に示すように、湾曲部２２４は、屈曲部２２３ａの頂部から固定部２２２にかけて、上方に向けて湾曲している。詳細には、湾曲部２２４は、屈曲部２２３ａの頂部から斜め上方に向けて延在した後、山型を形成するように、斜め下方に向けて延び、その後、固定部２２２に連接している。リセプタクルコンタクト２２をリセプタクルハウジング２１に装着したとき、図４（ｂ）に示すように、湾曲部２２４と、リセプタクルコンタクト２２が装着された右側壁２５ａ又は左側壁２５ｂとの間には、空間が形成されている。上記構成から、湾曲部２２４は、屈曲部２２３ａが左右方向に変位するように且つ上下方向に変位するように弾性変形可能となっている。
【００４６】
なお、リセプタクルコンタクト２２には、一対の凹み２２３ｓを形成するために、圧潰加工が施されている。圧潰加工は、帯状導電部材を屈曲する前に、一直線状となった帯状導電部材に施される。一対の凹み２２３ｓが形成された一直線状の帯状導電部材を、その長手方向に互いに異なる複数個所で屈曲させることにより、リセプタクルコンタクト２２が得られる。
【００４７】
リセプタクルコンタクト２２をリセプタクルハウジング２１に装着するときは、リセプタクルコンタクト２２を溝２８に嵌め、圧入する。
【００４８】
次に、図６〜１０を参照しつつ、プラグコネクタ１０のリセプタクルコネクタ２０への嵌合動作時及び嵌合解除動作時について説明する。
【００４９】
初めに、図６〜８を参照しつつ、プラグコネクタ１０のリセプタクルコネクタ２０への嵌合動作時について説明する。図７には、図６（ｂ）に示すリセプタクルコンタクト２２の変位前の状態及び変位後の状態の状態を示しており、図８には、図６（ｃ）に示すリセプタクルコンタクト２２の変位前の状態及び変位後の状態を示している。また、図７，８では、変位前のリセプタクルコンタクト２２を点線で示しており、変位後のリセプタクルコンタクト２２を実線で示している。
【００５０】
（プラグコネクタ１０のリセプタクルコネクタ２０への嵌合動作）
図６（ａ）に示すように、プラグコネクタ１０をリセプタクルコネクタ２０に向けて下方へ移動し、プラグ湾曲部１２２をリセプタクル湾曲部２２３内部に挿入する。
【００５１】
図６（ｂ）に示すように、リセプタクル湾曲部２２３の屈曲部２２３ａの内側面とプラグ湾曲部１２２の側部１２３の外側面とが接触すると共に、リセプタクル湾曲部２２３の屈曲部２２３ｂの内側面とプラグ湾曲部１２２の側部１２４の外側面１２４ｔとが接触する。このとき、屈曲部２２３ｂと側部１２４（外側面１２４ｔ）との接触に先駆けて、屈曲部２２３ａと側部１２３とが接触する。プラグ湾曲部１２２をリセプタクル湾曲部２２３内部にさらに挿入するにしたがって、図７に示すように、湾曲部２２４が弾性変形することにより屈曲部２２３ａが屈曲部２２３ｂと反対方向（嵌合方向と直交する方向であり且つ屈曲部２２３ｂと反対の方向）に変位するとともに、湾曲部２２３ｅが弾性変形することにより屈曲部２２３ｂが屈曲部２２３ａと反対方向（嵌合方向と直交する方向であり且つ屈曲部２２３ａと反対の方向）に変位する。すなわち、プラグ湾曲部１２２のリセプタクル湾曲部２２３内部への挿入時に、屈曲部２２３ａと屈曲部２２３ｂとが、互いに反対方向に変位する。したがって、プラグ湾曲部１２２をリセプタクル湾曲部２２３内部に低挿入力で挿入することができる。
【００５２】
なお、屈曲部２２３ａの変位後は、屈曲部２２３ａは、湾曲部２２４により、変位する前の位置（図６（ａ）に示す位置）に戻ろうとして、言い換えると、屈曲部２２３ｂに向けて変位しようとして力Ｆａ１でプラグ湾曲部１２２の側部１２３を押圧する。また、屈曲部２２３ｂの変位後は、屈曲部２２３ｂは、湾曲部２２３ｅにより、変位する前の位置（図６（ａ）に示す位置）に戻ろうとして、言い換えると、屈曲部２２３ａに向けて変位しようとして力Ｆｂでプラグ湾曲部１２２の側部１２４を押圧する。
【００５３】
そして、図６（ｂ）及び図７に示す状態から、プラグ湾曲部１２２をリセプタクル湾曲部２２３内部にさらに挿入するにしたがって、屈曲部２２３ａは、下側面１２３ｑに接触した後、図６（ｃ）に示すように、屈曲部２２３ａは底面１２３ｔに接触する。このとき、図８に示すように、下側面１２３ｑは、底面１２３ｔに近づくにつれて屈曲部２２３ａから離れるように傾斜しているため、プラグ湾曲部１２２をリセプタクル湾曲部２２３内部にさらに挿入するにしたがって湾曲部２２４が弾性変形することにより、屈曲部２２３ａは、屈曲部２２３ｂに向かって変位する。これにより、屈曲部２２３ｂは、プラグ湾曲部１２２をリセプタクル湾曲部２２３内部に挿入する前の状態（図６（ａ）に示す状態）から屈曲部２２３ｂと反対側に向けて少し変位した状態となる。したがって、屈曲部２２３ｂは、屈曲部２２３ｂに向けて変位しようとする力Ｆａ２でプラグ湾曲部１２２の側部１２３を押圧する（Ｆａ１＞Ｆａ２）。また、屈曲部２２３ｂには、湾曲部２２３ｅにより、屈曲部２２３ａに向けて変位しようとして力Ｆｂでプラグ湾曲部１２２の側部１２４を押圧している。
【００５４】
上述の動作により、プラグ湾曲部１２２のリセプタクル湾曲部２２３への嵌合動作が終了する。また、リセプタクル湾曲部２２３の屈曲部２２３ａとプラグ湾曲部１２２の側部１２３との接触、及び、リセプタクル湾曲部２２３の屈曲部２２３ｂとプラグ湾曲部１２２の側部１２４との接触により、プラグ湾曲部１２２とリセプタクル湾曲部２２３との電気的接続が可能となる。
【００５５】
続いて、図９，１０を参照しつつ、プラグコネクタ１０のリセプタクルコネクタ２０からの嵌合解除動作時について説明する。図１０には、図９（ｂ）に示す状態において、リセプタクルコンタクト２２からプラグコンタクト１２に作用する力を示している。また、図１０では、変位前のリセプタクルコンタクト２２を実線で示しており、変位後のリセプタクルコンタクト２２を点線で示している。
【００５６】
（プラグコネクタ１０のリセプタクルコネクタ２０への嵌合解除動作）
図９（ａ）に示すように、プラグコネクタ１０がリセプタクルコネクタ２０に嵌合した状態から、プラグコネクタ１０を上方（嵌合方向と反対の方向）へ移動させ、プラグ湾曲部１２２をリセプタクル湾曲部２２３から引き抜く。ここで、屈曲部２２３ａは、プラグ湾曲部１２２をリセプタクル湾曲部２２３内部に挿入する前の状態（図６（ａ）に示す状態）から屈曲部２２３ｂと反対側に向けてやや変位した状態となっているため、屈曲部２２３ｂは、屈曲部２２３ｂに向けて変位しようとして力Ｆａ２で（図８に示す力Ｆａ２）プラグ湾曲部１２２の側部１２３を押圧している。また、屈曲部２２３ｂは、湾曲部２２３ｅにより、屈曲部２２３ａに向けて変位しようとしてプラグ湾曲部１２２の側部１２４を押圧している。
【００５７】
プラグ湾曲部１２２をリセプタクル湾曲部２２３からさらに引き抜いたら、屈曲部２２３ａがプラグ湾曲部１２２の段部Ｑに係合する（ロック機構）。
【００５８】
そして、プラグ湾曲部１２２をリセプタクル湾曲部２２３からさらに引き抜いたら、図９（ｂ）に示すように、リセプタクル湾曲部２２３の移動とともに、段部Ｑの下側面１２３ｑにより屈曲部２２３ａが引き上げられ、湾曲部２２４が弾性変形することにより、屈曲部２２３ａが上方に向けてやや変位する。
【００５９】
このとき、図１０に示すように、屈曲部２２３ａは、湾曲部２２４により、屈曲部２２３ａが引き上げられる前の位置（図８（ｂ）に示す位置）に戻ろうとして、下方向への力Ｆａ３でプラグ湾曲部１２２の下側面１２３ｑを押圧する。また、下側面１２３ｑは、凹部１２３ｓの縁に近づくにつれて屈曲部２２３ａに近づくように傾斜しているため、屈曲部２２３ａと段部Ｑとの係合解除動作時に、屈曲部２２３ａは、湾曲部２２４が弾性変形することにより屈曲部２２３ｂと反対方向に変位する。これにより、屈曲部２２３ａは、湾曲部２２４により、変位する前の位置（図９（ａ）に示す位置）に戻ろうとして、言い換えると、屈曲部２２３ｂに向けて変位しようとして力Ｆａ４でプラグ湾曲部１２２の下側面１２３ｑを押圧する。そして、力Ｆａ３と力Ｆａ４の合力Ｆａが、プラグ湾曲部１２２の側部１２３に作用する。合力Ｆａは、側部１２３向けて且つ斜め下方向に作用している。
【００６０】
また、図１０に示すように、屈曲部２２３ｂは、湾曲部２２３ｅにより、プラグ湾曲部１２２をリセプタクル湾曲部２２３に挿入する前の変位していない状態（図６（ａ）に示す状態）に戻ろうとして、言い換えると、屈曲部２２３ａに向けて変位しようとして力Ｆｂでプラグ湾曲部１２２の側部１２４を押圧している。力Ｆｂは、プラグ湾曲部１２２の外側面１２４ｔに作用している。
【００６１】
したがって、プラグ湾曲部１２２をリセプタクル湾曲部２２３から引き抜くとき、特に、図８（ｂ）及び図９に示すように、屈曲部２２３ａと段部Ｑとの係合解除動作時には、リセプタクル湾曲部２２３の移動に伴って、屈曲部２２３ａが合力Ｆａでプラグ湾曲部１２２の側部１２３（下側面１２３ｑ）を押圧すると共に、屈曲部２２３ｂが力Ｆｂでプラグ湾曲部１２２の外側面１２４ｔを押圧するため、プラグ湾曲部１２２をリセプタクル湾曲部２２３から引き抜くために高い引き抜き力を必要とする。
【００６２】
そして、プラグ湾曲部１２２をリセプタクル湾曲部２２３からさらに引き抜くことにより、図８（ｃ）に示すように、プラグコネクタ１０のリセプタクルコネクタ２０からの嵌合が解除される。
【００６３】
以上に述べたように、本実施形態のコネクタ１００によると以下の効果を奏する。プラグ湾曲部１２２のリセプタクル湾曲部２２３への嵌合動作時に、側部１２３に押圧された湾曲部２２４が弾性変形することにより屈曲部２２３ａが弾性変形すると共に、側部１２４に押圧された湾曲部２２３ｅが弾性変形することにより屈曲部２２３ｂが弾性変形する。これにより、屈曲部２２３ａ，２２３ｂが互いに反対方向に変位するため、プラグ湾曲部１２２をリセプタクル湾曲部２２３へ低挿入力で挿入することができる。また、プラグ湾曲部１２２のリセプタクル湾曲部２２３からの嵌合解除動作時に、プラグ湾曲部１２２の移動に伴って屈曲部２２３ａがプラグ湾曲部１２２（段部Ｑ）により引き上げられる。これにより、湾曲部２２４が弾性変形することによって、屈曲部２２３ａが上方に向けてやや変位するため、屈曲部２２３ａは、湾曲部２２４によって元の位置から変位しないように下方向への力Ｆａ３で下側面１２３ｑを押圧する。また、屈曲部２２３ａと段部Ｑとの係合解除動作時に、下側面１２３ｑが凹部１２３ｓの縁に近づくにつれて屈曲部２２３ａに近づくように傾斜しているため、湾曲部２２４が弾性変形することにより屈曲部２２３ａが屈曲部２２３ｂと反対方向に変位する。これにより、屈曲部２２３ａは、屈曲部２２３ｂに向けて変位しようとして力Ｆａ４で下側面１２３ｑを押圧する。したがって、力Ｆａ３と力Ｆａ４の合力Ｆａが、プラグ湾曲部１２２の側部１２３に作用する。また、屈曲部２２３ｂは、湾曲部２２３ｅにより、屈曲部２２３ａに向けて変位しようとして力Ｆｂで側部１２４を押圧している。力Ｆｂは、プラグ湾曲部１２２の外側面１２４ｔに作用している。したがって、プラグ湾曲部１２２のリセプタクル湾曲部２２３からの嵌合解除動作時には、屈曲部２２３ａからプラグ湾曲部１２２の側部１２３に合力Ｆａが作用すると共に、屈曲部２２３ｂからプラグ湾曲部１２２の外側面１２４ｔに力Ｆｂが作用するため、プラグ湾曲部１２２をリセプタクル湾曲部２２３から引き抜くために高い引き抜き力を必要とする。したがって、低挿入力及び高引抜力を両立することができる。
【００６４】
また、屈曲部２２３ａは、屈曲部２２３ｂに向けて突出するように湾曲しており、湾曲部２２４は、屈曲部２２３ａの頂部から固定部２２２にかけて、上方に向けて突出するように湾曲している。これにより、プラグ湾曲部１２２のリセプタクル湾曲部２２３への嵌合動作時に屈曲部２２３ａが屈曲部２２３ｂと反対方向に変位するように、且つ、プラグ湾曲部１２２のリセプタクル湾曲部２２３からの嵌合解除動作時に屈曲部２２３ａが上下方向へ変位するように、湾曲部２２４が確実に弾性変形する。よって、低挿入力及び高引抜力の両立を確実に実現することができる。
【００６５】
さらに、湾曲部２２３ｄは、リセプタクル端子部２２１に向けて突出するように湾曲している。これにより、リセプタクルコンタクト２２に対して左右方向に向けて力が加えられたとき、湾曲部２２３ｄは、リセプタクル端子部２２１に近い位置で、リセプタクルコンタクト２２が装着された右側壁２５ａ又は左側壁２５ｂに接する。したがって、湾曲部２２３ｄからリセプタクルハウジング２１の右側壁２５ａ又は左側壁２５ｂに作用する力を軽減することができる。よって、リセプタクルハウジング２１の破損を抑止することができる。
【００６６】
以上、本発明の好適な実施形態及び変形例について説明したが、本発明は上述の実施形態及び変形例に限られるものではなく、特許請求の範囲に記載した限りにおいて様々な変更が可能なものである。
【００６７】
例えば、本実施形態では、プラグコンタクト１２の側部１２３とリセプタクルコンタクト２２の屈曲部２２３ａとの接触部において、プラグコンタクト１２の側部１２３に、これらの係合を図る段部Ｑが形成されている場合について説明したが、これには限られない。プラグコンタクト１２の側部１２３とリセプタクルコンタクト２２の屈曲部２２３ａとの少なくとも一方に、これらの係合を図る係合段部が形成されていてもよい。
【００６８】
また、本実施形態では、プラグコンタクト１２の側部１２３に、段部（係合段部）Ｑとして凹部１２３ｓが形成されている場合について説明したが、段部Ｑの形状はこれには限られない。例えば、係合段部は、凸形状であってもよい。
【００６９】
また、本実施形態では、プラグコンタクト１２の側部１２４とリセプタクルコンタクト２２の屈曲部２２３ｂとの接触部において、これらの係合を図る係合段部が形成されていない場合について説明したが、プラグコンタクト１２の側部１２４とリセプタクルコンタクト２２の屈曲部２２３ｂとの少なくとも一方に、これらの係合を図る係合段部が形成されていてもよい。
【００７０】
また、本実施形態では、湾曲部２２４が上方に向けて突出するように湾曲している場合について説明したが、湾曲部２２４の形状は上記形状に限られない。例えば、湾曲部２２４が、下方に向けて開口するように且つ円弧状に湾曲していてもよい。また、リセプタクルハウジング２１の右側壁２５ａ及び左側壁２５ｂの高さをさらに低くしてもよい。これにより、湾曲部２２４とそのリセプタクルコネクタ２０が装着された右側壁２５ａ又は左側壁２５ｂとの間の空間をさらに大きくすることができることから、湾曲部２２４が確実に弾性変形する。
【００７１】
また、本実施形態では、基板対基板接続コネクタ１００について説明したが、発明のコネクタは、基板対基板接続用のものに限られない。
【符号の説明】
【００７２】
１０  プラグコネクタ（第１コネクタ）
１１  プラグハウジング（第１ハウジング）
１２  プラグコンタクト（第１コンタクト）
２０  リセプタクルコネクタ（第２コネクタ）
２１  リセプタクルハウジング（第２ハウジング）
２２  リセプタクルコンタクト（第２コンタクト）
１２２  プラグ湾曲部（第１突出部）
１２２ｃ  頂部
１２３ｓ  凹部
１２３ｔ  底面（第３接触部）
１２３ｐ  上側面
１２３ｑ  下側面
１２４  側部
１２４ｔ  外側面（第４接触部）
２２１  リセプタクル端子部
２２２  固定部
２２３  リセプタクル湾曲部（第１湾曲部）
２２３ａ  屈曲部（第１接触部）
２２３ｂ  屈曲部（第２接触部）
２２３ｃ  底部（頂部）
２２３ｄ  湾曲部（第４湾曲部）
２２３ｅ  湾曲部（第３湾曲部）
２２４  湾曲部（第２湾曲部）
１００  コネクタ
Ｑ  段部（係合段部）
【図１】
2012099276.tif 000003
【図２】
2012099276.tif 000004
【図３】
2012099276.tif 000005
【図４】
2012099276.tif 000006
【図５】
2012099276.tif 000007
【図６】
2012099276.tif 000008
【図７】
2012099276.tif 000009
【図８】
2012099276.tif 000010
【図９】
2012099276.tif 000011
【図１０】
2012099276.tif 000012